(57)【特許請求の範囲】
【請求項１】
先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記中心孔の後端部に前記スプリングの端部の外径よりも小さい幅の複数の通溝を形成し、この複数の通溝を前記複数の矢溝に連通させたことを特徴とするボールペンチップ。
【請求項２】
先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記スプリングの端部外周に前記スプリングの端部の外径よりも小さい幅の複数の通溝を形成したことを特徴とするボールペンチップ。
【請求項３】
前記複数の通溝を螺旋状に形成したことを特徴とする請求項２に記載のボールペンチップ。
【発明の詳細な説明】
【０００１】
【発明の属する技術分野】
本発明は、ボールペン、塗布具等のボールを筆記媒体とするボールペンチップに関する。
【０００２】
【従来の技術】
従来技術の１例として、図９〜図１２に示すようなボールペンチップが知られている。ボールペンチップの先端のボール把持部１０１には、ボール１０２が回動自在に取り付けられている。ボール１０２の図中下方には、ボール受け座部１０３およびインキの流通路となる中心孔１０４が形成され、その中心孔１０４の図中上部は、ボール１０２にインクを供給する、放射状矢溝部１０５となっている。また、前記中心孔１０４の下方には内孔１０６が形成されており、内孔１０６には、スプリング１０７が配設され、そのスプリング１０７の一端は図中上方に垂直に延びて前記中心孔１０４通る、スプリング端部１０７ａとなっている。
前記ボール１０２は、このスプリング端部１０７ａに支承され、図中上方に付勢されて前記ボール把持部１０１の先端内縁部１０８に当接している。
次に作用について説明する。ボール１０２を筆記面に当接させると、ボール１０２が押圧され、その押圧動作によってスプリング端部１０７ａ（スプリング１０７）が後退するとともに、インキがボール１０２を介して前記ボール把持部１０１の先端内縁部１０８を通過して筆記面へと供給される。
【０００３】
【発明が解決しようとする課題】
しかし、上記のような従来技術にあっては、中心孔１０４にスプリング端部１０７ａを組み立てた際、スプリング端部１０７ａが中心孔１０４の一方に寄ってしまい、前記放射状矢溝部１０５の一つを塞いでしまったり、また、このボールペンチップで筆記した際、ボール１０２の回転により、スプリング端部１０７ａが中心孔１０４のインキの流れる側（筆記する方向）に移動し、その方向にある放射状矢溝を塞いでしまったりして、筆記カスレや、インキ切れ等の筆記不良を生じるという問題があった。
【０００４】
【課題を解決するための手段】
本発明は、上記問題点に鑑みてなされたものであり、先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記中心孔の後端部に前記スプリングの端部の外径よりも小さい幅の複数の通溝を形成し、この複数の通溝を前記複数の矢溝に連通させたことを第１の要旨とし、先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記スプリングの端部外周に前記スプリングの端部の外径よりも小さい幅の複数の通溝を形成したことを第２の要旨とするものである。
【０００５】
【実施例】
図１、図２に第１例を示し説明する。ボールペンチップの先端のボール把持部１には、ボール２が回動自在に取り付けられている。ボール２の図中下方には、ボール受け座部３およびインキの流通路となる中心孔４が形成され、その中心孔４の図中上部は、ボール２にインクを供給する、放射状矢溝部５となっている。本例において中心孔４は、下穴加工の後、ブローチによる打ち抜き加工等により、非円形の多角形状に形成されており、前記放射状矢溝部５の各々の方向に多角形の角先部４ａを連通・一致させている。また、前記中心孔４の下方には内孔６が形成されており、内孔６には、スプリング７が配設され、そのスプリング７の一端は図中上方に垂直に延びて前記中心孔４通る、スプリング端部７ａとなっている。前記ボール２は、このスプリング端部７ａに支承され、図中上方に付勢されて前記ボール把持部１の先端内縁部８に当接している。
次に作用について説明する。ボール２を筆記面に当接させると、ボール２が押圧され、その押圧動作によってスプリング端部７ａ（スプリング７）が後退するとともに、インキがボール２を介して前記ボール把持部１の先端内縁部８を通過して筆記面へと供給される。中心孔４にスプリング端部７ａを組み立てた際、スプリング端部７ａが中心孔４の一方に寄ってしまったり、また、このボールペンチップで筆記した際、ボール２の回転により、スプリング端部７ａが中心孔４のインキの流れる側（筆記する方向）に移動してしまったりしても、前記角先部４ａがインキの流通路となるので、筆記カスレや、インキ切れ等の筆記不良を生じない。
【０００６】
図３に変形例を示し説明する。前例と同じ部分については説明を省略する。
本例における中心孔４は、前記放射状矢溝部５の各々の方向にＶ字状通孔部４ｂを形成している。Ｖ字状通孔部４ｂの幅は前記スプリング端部７ａの外径寸法よりも小さい幅の寸法とし、スプリング端部７ａがＶ字状通孔部４ｂの方向に偏っても、スプリング端部７ａの外周との間にインキの流通路が確保出来るようになっている。
前例と同様にブローチによる打ち抜き加工等によってＶ字状通孔部４ｂが形成されるが、前例と異なり、先に円形の中心孔４を加工形成した後で、ブローチ加工により打ち抜き形成されるので、Ｖ字形状・寸法を適宜設定する事ができるし、また、加工量が少ないので、ブローチ加工の負担も軽くて済む。
【０００７】
図４に別の変形例を示し説明する。前例と同じ部分については説明を省略する。
本例における中心孔４は、前記放射状矢溝部５の各々の方向にＵ字状通孔部４ｃを形成している。Ｕ字状通孔部４ｃの幅は前記スプリング端部７ａの外径寸法よりも小さい幅の寸法とし、スプリング端部７ａがＵ字状通孔部４ｃの方向に偏っても、スプリング端部７ａの外周との間にインキの流通路が確保出来るようになっている。
作用については、前述の第１例、並びに変形例と同様であるが、通孔部の断面積を大きく形成できるので、インキの流通路が大きく確保出来るという利点がある。
【０００８】
図５、図６に第２例を示し説明する。ボールペンチップの先端のボール把持部１には、ボール２が回動自在に取り付けられている。ボール２の図中下方には、ボール受け座部３およびインキの流通路となる中心孔４が形成され、その中心孔４の図中上部は、ボール２にインクを供給する、放射状矢溝部５となっている。また、前記中心孔４の下方には内孔６が形成されており、内孔６には、スプリング７が配設され、そのスプリング７の一端は図中上方に垂直に延びて前記中心孔４通る、スプリング端部７ａとなっている。前記ボール２は、このスプリング端部７ａに支承され、図中上方に付勢されて前記ボール把持部１の先端内縁部８に当接している。
本例において、スプリング端部７ａの外周には、その外径よりも小さい幅の、断面Ｖ字形状、Ｕ字形状等の複数の通溝７ｂが形成されている。
中心孔４にスプリング端部７ａを組み立てた際、スプリング端部７ａが中心孔４の一方に寄ってしまったり、また、このボールペンチップで筆記した際、ボール２の回転により、スプリング端部７ａが中心孔４のインキの流れる側（筆記する方向）に移動してしまったりしても、前記通溝７ｂがインキの流通路となるので、筆記カスレや、インキ切れ等の筆記不良を生じない。
【０００９】
図７、図８に第３例を示し説明する。
本例においては、スプリング端部７ａの外周に、その外径よりも小さい幅の、断面Ｖ字形状、Ｕ字形状等の通溝７ｃが螺旋状に形成されている。
この例によれば、前例に比較して、スプリング端部７ａへの通溝７ｃの形成が容易であるという利点がある。
他の作用については、前記第２例と同様である。
尚、前述の第２例、第３例におけるスプリング端部７ａは、スプリング７と一体のもので例示したが、スプリング端部７ａを別体の部品で形成し、前記スプリング７に直列に連結固定してもよい。スプリング端部７ａへの通溝７ｂ、７ｃの加工形成がより容易になる。
【００１０】
【発明の効果】
本発明は、先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記中心孔の後端部に前記スプリングの端部の外径よりも小さい幅の複数の通溝を形成し、この複数の通溝を前記複数の矢溝に連通させ、あるいは、先端ボールと先端内縁を有するボール把持部と中心孔と、その中心孔の後端に至らない深さの複数の矢溝と前記中心孔を通るスプリングよりなり、前記スプリングに支承されて先端ボールが前記ボール把持部の先端内縁に密接するボールペンチップにおいて、前記スプリングの端部外周に前記スプリングの端部の外径よりも小さい幅の複数の通溝を形成したので、スプリング端部１０７が中心孔１０４のインキの流れる側（筆記する方向）に移動し、その方向にある放射状矢溝を塞いでしまったとしても、インキの流通を途切れなく確保することができ、筆記カスレや、インキ切れ等の筆記不良を生じるという問題を生じないものである。
【図面の簡単な説明】
【図１】本発明を示す縦断面図。
【図２】図１のＡ−Ａ断面（ボールを外した）図。
【図３】変形例の断面（ボールを外した）図。
【図４】別の変形例の断面（ボールを外した）図。
【図５】第２例を示す縦断面図。
【図６】図５のＡ−Ａ断面（ボールを外した）図。
【図７】第３例を示す縦断面図。
【図８】図７のＡ−Ａ断面（ボールを外した）図。
【図９】従来例を示す縦断面図。
【図１０】従来例を示す縦断面図。
【図１１】図１０のＡ−Ａ断面（ボールを外した）図。
【図１２】従来例を説明する縦断面図。
【符号の説明】
１    ボール把持部
２    ボール
３    ボール受け部
４    中心孔
４ａ  角先部
４ｂ  Ｖ字状通孔部
４ｃ  Ｕ字状通孔部
５    放射状矢溝部
６    内孔
７    スプリング
７ａ  スプリング端部
７ｂ  通溝
７ｃ  通溝
８    先端内縁部
【図１】
0003873494.tif 000002
【図２】
0003873494.tif 000003
【図３】
0003873494.tif 000004
【図４】
0003873494.tif 000005
【図５】
0003873494.tif 000006
【図６】
0003873494.tif 000007
【図７】
0003873494.tif 000008
【図８】
0003873494.tif 000009
【図９】
0003873494.tif 000010
【図１０】
0003873494.tif 000011
【図１１】
0003873494.tif 000012
【図１２】
0003873494.tif 000013